(57)【要約】おおむね平行六面体形状のタバコ商品用硬質容器は、それぞれ頂端および底端にある２つの端壁（７，８）と、これら端壁（７，８）に境接する側面（６）であって、それぞれ前面および後面にある２つの大側壁（１０，１１）ならびに２つの小側壁（９）によって画定される側面（６）と、それぞれが大側壁（１０；１１）と小側壁（９）との間に画定された４つの長手方向縁部（１３）と、それぞれが端壁（７；８）と側壁（９；１０；１１）との間に画定された８つの横断方向縁部（１４）とを具備し、前面にある大側壁（１０）の２つの横断方向縁部（１４）および後面にある大側壁（１１）の２つの長手方向縁部（１３）が非直角の縁部であり、これに対し他の横断方向縁部および長手方向縁部（１４，１３）が鋭い直角の縁部である。
2005503298.tif 000002
【特許請求の範囲】
【請求項１】
おおむね平行六面体形状のタバコ商品用硬質容器（１）であって、それぞれ頂端および底端にある２つの端壁（７，８）と、これら端壁（７，８）に境接する側面（６）であって、それぞれ前面および後面にある２つの大側壁（１０，１１）ならびに２つの小側壁（９）によって画定される側面（６）と、それぞれが大側壁（１０；１１）と小側壁（９）との間に画定された４つの長手方向縁部（１３）と、それぞれが端壁（７；８）と側壁（９；１０；１１）との間に画定された８つの横断方向縁部（１４）とを具備した容器（１）において、少なくとも１つの長手方向縁部（１３）および少なくとも１つの横断方向縁部（１４）が非直角な縁部であり、これに対し他の長手方向縁部および横断方向縁部（１３，１４）が鋭い直角の縁部であることを特徴とする容器。
【請求項２】
同一の大側壁（１０；１１）の２つの長手方向縁部（１３）および同一の大側壁（１０；１１）の前記２つの横断方向縁部（１４）が非直角な縁部であり、これに対し他の横断方向縁部および長手方向縁部（１４，１３）が鋭い直角の縁部であることを特徴とする請求項１に記載の容器。
【請求項３】
同一の大側壁（１０；１１）の２つの長手方向縁部（１３）および他方の大側壁（１１；１０）の２つの横断方向縁部（１４）が非直角な縁部であり、これに対し他の横断方向縁部および長手方向縁部（１４，１３）が鋭い直角の縁部であることを特徴とする請求項１に記載の容器。
【請求項４】
後面にある大側壁（１１）の２つの長手方向縁部（１３）および前面にある大側壁（１０）の２つの横断方向縁部（１４）が非直角な縁部であり、これに対し他の横断方向縁部および長手方向縁部（１４，１３）が鋭い直角の縁部であることを特徴とする請求項１に記載の容器。
【請求項５】
少なくとも１つの非直角な長手方向縁部または横断方向縁部（１３；１４）が丸みをつけられた縁部であることを特徴とする請求項１から４のいずれか１項に記載の容器。
【請求項６】
少なくとも１つの非直角な長手方向縁部または横断方向縁部（１３；１４）が面取りされた縁部であることを特徴とする請求項１から５のいずれか１項に記載の容器。
【請求項７】
少なくとも１つの側壁（９；１０；１１）が、外向きに突出する少なくとも１つの半面部分を有すると共に、対応する鋭い長手方向縁部（１３）に沿い少なくとも１つの隣接する側壁（９；１０；１１）に接続されて該隣接する側壁（９；１０；１１）と共におおむね鈍角の二面角をそれぞれ形成し、それにより対応する長手方向縁部（１３）が非直角となることを特徴とする請求項１から６のいずれか１項に記載の容器。
【請求項８】
外向きに突出する少なくとも１つの半面部分を有する前記側壁（９；１０；１１）が、それぞれの平坦な中央部（２４）と、長手方向折り目線（２６）によって予め折り目をつけられた少なくとも１つの側方帯（２５）とを具備し、該側方帯（２５）が、中央部（２４）を対応する端壁（７；８）に接続して端壁（７；８）と共におおむね鈍角の二面角を形成するために、内向きの凹部が形成されるよう湾曲されることを特徴とする請求項７に記載の容器。
【請求項９】
少なくとも１つの側壁（９；１０；１１）が外向きに突出する面部分を有すると共に、それぞれの平坦な中央部（２４）と、長手方向折り目線（２６）によって予め折り目をつけられた２つの側方帯（２５）とを具備し、各側方帯（２５）が、中央部（２４）を対応する側壁（９；１０；１１）に接続して側壁（９；１０；１１）と共におおむね鈍角の二面角を形成するために、内向きの凹部が形成されるよう湾曲されることを特徴とする請求項８に記載の容器。
【請求項１０】
少なくとも１つの側壁（９；１０；１１）が外向きに突出する少なくとも１つの半面部分を有すると共に、対応する鋭い横断方向縁部（１４）に沿い少なくとも１つの隣接する端壁（７；８）に接続されて該隣接する端壁（７；８）と共におおむね鈍角の二面角をそれぞれ形成し、それにより対応する横断方向縁部（１４）が非直角となるようにすることを特徴とする請求項１から９のいずれか１項に記載の容器。
【請求項１１】
外向きに突出する少なくとも１つの半面部分を有する側壁（９；１０；１１）が、それぞれの平坦な中央部と、横断方向折り目線によって予め折り目をつけられた少なくとも１つの側方帯とを具備し、該側方帯が、中央部を対応する端壁（７；８）に接続して端壁（７；８）と共におおむね鈍角の二面角を形成するために、内向きの凹部が形成されるよう湾曲されることを特徴とする請求項１０に記載の容器。
【請求項１２】
少なくとも１つの側壁（９；１０；１１）が外向きに突出する面部分を有すると共に、それぞれの平坦な中央部と、横断方向折り目線によって予め折り目をつけられた２つの側方帯とを具備し、各側方帯が、中央部を対応する端壁（７；８）に接続して端壁（７；８）と共におおむね鈍角の二面角を形成するために、内向きの凹部が形成されるよう湾曲されることを特徴とする請求項１１に記載の容器。
【請求項１３】
少なくとも１つの端壁（７；８）が、外向きに突出する少なくとも１つの半面部分を有すると共に、対応する鋭い横断方向縁部（１４）に沿い少なくとも１つの隣接する側壁（９；１０；１１）に接続されて該隣接する側壁（９；１０；１１）と共におおむね鈍角の二面角をそれぞれ形成し、それにより対応する横断方向縁部（１４）が非直角となることを特徴とする請求項１から９のいずれか１項に記載の容器。
【請求項１４】
外向きに突出する少なくとも１つの半面部分を有する前記端壁（７；８）が、それぞれの平坦な中央部と、横断方向折り目線によって予め折り目をつけられた少なくとも１つの側方帯とを具備し、該側方帯が、中央部を対応する側壁（９；１０；１１）に接続して側壁（９；１０；１１）と共におおむね鈍角の二面角を形成するために、内向きの凹部が形成されるよう湾曲されることを特徴とする請求項１３に記載の容器。
【請求項１５】
開放頂端（３）を有するカップ形状の底部容器（２）と、ヒンジ（５）に沿って該底部容器（２）に蝶着されて開放頂端（３）を開放する開放位置と閉鎖する閉鎖位置との間で底部容器（２）に対し回動するカップ形状の頂部蓋（４）とを具備することを特徴とする請求項１から１４のいずれか１項に記載の容器。
【請求項１６】
前記８つの横断方向縁部（１４）が、４つの横断方向大縁部（１４ａ）と４つの横断方向小縁部（１４ｂ）とに分割され、前記ヒンジ（５）が、後面の大側壁（１１）に沿って配置されると共に、横断方向大縁部（１４ａ）に平行であることを特徴とする請求項１５に記載の容器。
【請求項１７】
前記８つの横断方向縁部（１４）が、４つの横断方向大縁部（１４ａ）と４つの横断方向小縁部（１４ｂ）とに分割され、前記ヒンジ（５）が、後面の小側壁（９）に沿って配置されると共に、横断方向小縁部（１４ｂ）に平行であることを特徴とする請求項１５に記載の容器。
【請求項１８】
前記８つの横断方向縁部（１４）が、４つの横断方向大縁部（１４ａ）と４つの横断方向小縁部（１４ｂ）とに分割され、前記ヒンジ（５）が、頂端壁（７）に沿って配置されると共に、横断方向小縁部（１４ｂ）に平行であることを特徴とする請求項１５に記載の容器。
【請求項１９】
底部容器（２）および蓋（４）が、蓋（４）が閉鎖位置にあるときに互いに離間しつつ対向するそれぞれの縁部（２２，２１）を有することを特徴とする請求項１５から１８のいずれか１項に記載の容器。
【請求項２０】
底部容器（２）および蓋（４）が、互いに対向しかつ湾曲したそれぞれの縁部（２２、２１）を有することを特徴とする請求項１５から１９のいずれか１項に記載の容器。
【請求項２１】
おおむね平行六面体形状のタバコ商品用硬質容器（１）であって、それぞれ頂端および底端にある２つの端壁（７，８）と、これら端壁（７，８）に境接する側面（６）であって、それぞれ前面および後面にある２つの大側壁（１０，１１）ならびに２つの小側壁（９）によって画定される側面（６）と、それぞれが大側壁（１０；１１）と小側壁（９）との間に画定された４つの長手方向縁部（１３）と、それぞれが端壁（７；８）と側壁（９；１０；１１）との間に画定された８つの横断方向縁部（１４）とを具備した容器（１）において、少なくとも１つの横断方向縁部（１４）および少なくとも１つの長手方向縁部（１３）が丸みを付けられまたは面取りされた縁部であり、これに対し他の横断方向縁部および長手方向縁部（１４，１３）が鋭い直角の縁部であることを特徴とする容器。
【請求項２２】
おおむね平行六面体形状のタバコ商品用硬質容器（１）であって、それぞれ頂端および底端にある２つの端壁（７，８）と、これら端壁（７，８）に境接する側面（６）であって、それぞれ前面および後面にある２つの大側壁（１０，１１）ならびに２つの小側壁（９）によって画定される側面（６）と、それぞれが大側壁（１０；１１）と小側壁（９）との間に画定された４つの長手方向縁部（１３）と、それぞれが端壁（７；８）と側壁（９；１０；１１）との間に画定された８つの横断方向縁部（１４）とを具備した容器（１）において、後面にある大側壁（１１）の２つの長手方向縁部（１３）および前面にある大側壁（１０）の２つの横断方向縁部（１４）が丸みをつけられまたは面取りされた縁部であり、これに対し他の横断方向縁部および長手方向縁部（１４，１３）が鋭い直角の縁部であることを特徴とする容器。
【請求項２３】
おおむね平行六面体形状のタバコ商品用硬質容器（１）であって、それぞれ頂端および底端にある２つの端壁（７，８）と、これら端壁（７，８）に境接する側面（６）であって、それぞれ前面および後面にある２つの大側壁（１０，１１）ならびに２つの小側壁（９）によって画定される側面（６）と、それぞれが大側壁（１０；１１）と小側壁（９）との間に画定された４つの長手方向縁部（１３）と、それぞれが端壁（７；８）と側壁（９；１０；１１）との間に画定された８つの横断方向縁部（１４）とを具備し、少なくとも１つの側壁（９；１０；１１）が、外向きに突出する面部分を有すると共に、対応する鋭い長手方向縁部（１３）に沿い二つの隣接する側壁（９；１０；１１）のそれぞれに接続されて該隣接する２つの側壁（９；１０；１１）と共におおむね鈍角の二面角をそれぞれ形成する容器（１）において、少なくとも１つの横断方向縁部（１４）が丸みを付けられまたは面取りされた縁部であり、これに対し他の横断方向縁部が鋭い直角の縁部であることを特徴とする容器。
【請求項２４】
おおむね平行六面体形状のタバコ商品用硬質カートンであって、それぞれ頂端および底端にある２つの端壁（７，８）と、これら端壁（７，８）に境接する側面（６）であって、それぞれ前面および後面にある２つの大側壁（１０，１１）ならびに２つの小側壁（９）によって画定される側面（６）と、それぞれが大側壁（１０；１１）と小側壁（９）との間に画定された４つの長手方向縁部（１３）と、それぞれが端壁（７；８）と側壁（９；１０；１１）との間に画定された８つの横断方向縁部（１４）とを具備したカートンにおいて、少なくとも１つの長手方向縁部（１３）および少なくとも１つの横断方向縁部（１４）が非直角な縁部であり、これに対し他の長手方向縁部および横断方向縁部（１３，１４）が鋭い直角の縁部であることを特徴とするカートン。
【請求項２５】
同一の大側壁（１０；１１）の２つの長手方向縁部（１３）および同一の大側壁（１０；１１）の前記２つの横断方向縁部（１４）が非直角な縁部であり、これに対し他の横断方向縁部および長手方向縁部（１４，１３）が鋭い直角の縁部であることを特徴とする請求項２４に記載のカートン。
【請求項２６】
同一の大側壁（１０；１１）の２つの長手方向縁部（１３）および他方の大側壁（１１；１０）の２つの横断方向縁部（１４）が非直角な縁部であり、これに対し他の横断方向縁部および長手方向縁部（１４，１３）が鋭い直角の縁部であることを特徴とする請求項２４に記載のカートン。
【請求項２７】
後面にある大側壁（１１）の２つの長手方向縁部（１３）および前面にある大側壁（１０）の２つの横断方向縁部（１４）が非直角な縁部であり、これに対し他の横断方向縁部および長手方向縁部（１４，１３）が鋭い直角の縁部であることを特徴とする請求項２４に記載のカートン。
【請求項２８】
少なくとも１つの非直角な長手方向縁部または横断方向縁部（１３；１４）が丸みをつけられた縁部であることを特徴とする請求項２４から２７のいずれか１項に記載のカートン。
【請求項２９】
少なくとも１つの非直角な長手方向縁部または横断方向縁部（１３；１４）が面取りされた縁部であることを特徴とする請求項２４から２７のいずれか１項に記載のカートン。
【請求項３０】
少なくとも１つの側壁（９；１０；１１）が、外向きに突出する少なくとも１つの半面部分を有すると共に、対応する鋭い長手方向縁部（１３）に沿い少なくとも１つの隣接する側壁（９；１０；１１）に接続されて該隣接する側壁（９；１０；１１）と共におおむね鈍角の二面角をそれぞれ形成し、それにより対応する長手方向縁部（１３）が非直角となることを特徴とする請求項２４から２９のいずれか１項に記載のカートン。
【請求項３１】
外向きに突出する少なくとも１つの半面部分を有する前記側壁（９；１０；１１）が、それぞれの平坦な中央部（２４）と、長手方向折り目線（２６）によって予め折り目をつけられた少なくとも１つの側方帯（２５）とを具備し、該側方帯（２５）が、中央部（２４）を対応する端壁（７；８）に接続して端壁（７；８）と共におおむね鈍角の二面角を形成するために、内向きの凹部が形成されるよう湾曲されることを特徴とする請求項３０に記載のカートン。
【請求項３２】
少なくとも１つの側壁（９；１０；１１）が外向きに突出する面部分を有すると共に、それぞれの平坦な中央部（２４）と、長手方向折り目線（２６）によって予め折り目をつけられた２つの側方帯（２５）とを具備し、各側方帯（２５）が、中央部（２４）を対応する側壁（９；１０；１１）に接続して側壁（９；１０；１１）と共におおむね鈍角の二面角を形成するために、内向きの凹部が形成されるよう湾曲されることを特徴とする請求項３１に記載のカートン。
【請求項３３】
少なくとも１つの側壁（９；１０；１１）が外向きに突出する少なくとも１つの半面部分を有すると共に、対応する鋭い横断方向縁部（１４）に沿い少なくとも１つの隣接する端壁（７；８）に接続されて該隣接する端壁（７；８）と共におおむね鈍角の二面角をそれぞれ形成し、それにより対応する横断方向縁部（１４）が非直角となるようにすることを特徴とする請求項２４から３２のいずれか１項に記載のカートン。
【請求項３４】
外向きに突出する少なくとも１つの半面部分を有する側壁（９；１０；１１）が、それぞれの平坦な中央部と、横断方向折り目線によって予め折り目をつけられた少なくとも１つの側方帯とを具備し、該側方帯が、中央部を対応する端壁（７；８）に接続して端壁（７；８）と共におおむね鈍角の二面角を形成するために、内向きの凹部が形成されるよう湾曲されることを特徴とする請求項３３に記載のカートン。
【請求項３５】
少なくとも１つの側壁（９；１０；１１）が外向きに突出する面部分を有すると共に、それぞれの平坦な中央部と、横断方向折り目線によって予め折り目をつけられた２つの側方帯とを具備し、各側方帯が、中央部を対応する端壁（７；８）に接続して端壁（７；８）と共におおむね鈍角の二面角を形成するために、内向きの凹部が形成されるよう湾曲されることを特徴とする請求項３４に記載のカートン。
【請求項３６】
少なくとも１つの端壁（７；８）が、外向きに突出する少なくとも１つの半面部分を有すると共に、対応する鋭い横断方向縁部（１４）に沿い少なくとも１つの隣接する側壁（９；１０；１１）に接続されて該隣接する側壁（９；１０；１１）と共におおむね鈍角の二面角をそれぞれ形成し、それにより対応する横断方向縁部（１４）が非直角となることを特徴とする請求項２４から３３のいずれか１項に記載のカートン。
【請求項３７】
外向きに突出する少なくとも１つの半面部分を有する前記端壁（７；８）が、それぞれの平坦な中央部と、横断方向折り目線によって予め折り目をつけられた少なくとも１つの側方帯とを具備し、該側方帯が、中央部を対応する側壁（９；１０；１１）に接続して側壁（９；１０；１１）と共におおむね鈍角の二面角を形成するために、内向きの凹部が形成されるよう湾曲されることを特徴とする請求項３６に記載のカートン。
【請求項３８】
開放頂端（３）を有するカップ形状の底部カートン（２）と、ヒンジ（５）に沿って該底部容器（２）に蝶着されて開放頂端（３）を開放する開放位置と閉鎖する閉鎖位置との間で底部容器（２）に対し回動するカップ形状の頂部蓋（４）とを具備することを特徴とする請求項２４から２７のいずれか１項に記載のカートン。
【請求項３９】
前記８つの横断方向縁部（１４）が、４つの横断方向大縁部（１４ａ）と４つの横断方向小縁部（１４ｂ）とに分割され、前記ヒンジ（５）が、後面の大側壁（１１）に沿って配置されると共に、横断方向大縁部（１４ａ）に平行であることを特徴とする請求項３８に記載のカートン。
【請求項４０】
前記８つの横断方向縁部（１４）が、４つの横断方向大縁部（１４ａ）と４つの横断方向小縁部（１４ｂ）とに分割され、前記ヒンジ（５）が、後面の小側壁（９）に沿って配置されると共に、横断方向小縁部（１４ｂ）に平行であることを特徴とする請求項３８に記載のカートン。
【請求項４１】
前記８つの横断方向縁部（１４）が、４つの横断方向大縁部（１４ａ）と４つの横断方向小縁部（１４ｂ）とに分割され、前記ヒンジ（５）が、頂端壁（７）に沿って配置されると共に、横断方向小縁部（１４ｂ）に平行であることを特徴とする請求項３８に記載のカートン。
【請求項４２】
底部容器（２）および蓋（４）が、蓋（４）が閉鎖位置にあるときに互いに離間しつつ対向するそれぞれの縁部（２２，２１）を有することを特徴とする請求項３８から４１のいずれか１項に記載のカートン。
【請求項４３】
底部容器（２）および蓋（４）が、互いに対向しかつ湾曲したそれぞれの縁部（２２、２１）を有することを特徴とする請求項３８から４２のいずれか１項に記載のカートン。
【発明の詳細な説明】
【技術分野】
【０００１】
本発明はタバコ商品用硬質容器に関する。
【背景技術】
【０００２】
下記の説明では、単に本発明を限定することのない例としてかつ簡潔にするために、シガレットないし紙巻タバコの小包体によって画定される硬質容器に言及する。
【０００３】
シガレットのヒンジ式硬質小包体は通常、矩形断面の平行六面体形状であり、前面壁および後面壁によって画定される２つの大側壁と、これら両大側壁に鋭くかつ直角の長手方向縁部でそれぞれ接続された２つの小側壁とを具備する。
【０００４】
上記タイプすなわち矩形断面の平行六面体形状の硬質小包体は、形状が人間の身体に適したものでないことと、小包体が接触するあらゆる衣服の布地をすぐに磨耗させることとによる、いくつかの欠点を有する。
【０００５】
また、矩形断面の平行六面体形状の硬質小包体は、小側壁および直角の長手方向縁部できわめて堅固であるが、大側壁ではそれほどでもなく、このため透明なセロハン被包を適用して小包体の周りで（熱を付加することにより）収縮させるときに内向に変形しがちになるという欠点を有する。
【０００６】
透明被包によって小包体に及ぼされる内向き圧力が引き起こす大側壁の内向きの変形は、小包体内でシガレットを圧縮してその圧縮された形状に保持し、このため特に最初のシガレットを抜き出すのが困難である。さらに、大側壁、特に後方の側壁の変形は、蓋を底部ケースに結合しているヒンジを変形させ、このため透明被包を（通常は破って）全て小包体から取り除かない限り蓋を開けるのが困難である。
【０００７】
上記の欠点は、欧州特許第０２０４９３３号明細書および欧州特許第０２０５７６６号明細書に記載されたタイプの小包体、すなわち面取りされまたは丸みをつけられた４つの長手方向縁部と８つの鋭い直角の横断方向縁部とを有する小包体によって、少なくとも部分的に解消されている。しかし、面取りされまたは丸みをつけられた縁部を有する上記タイプの小包体は、２つの丸みをつけられまたは面取りされた縁部を一致させて形成するのが困難なために、蓋がカップ形状の底部容器を適切に閉じることができないという欠点を有し、形状が人間の身体に適したものでないので比較的取り扱いにくい。
【発明の開示】
【０００８】
本発明は、上記の欠点を解消するために構成された、ヒンジ式蓋付き硬質シガレット小包体を提供することを目的とする。
【０００９】
本発明によれば、おおむね平行六面体形状のタバコ商品用硬質容器であって、それぞれ頂端および底端にある２つの端壁と、これら端壁に境接する側面であって、それぞれ前面および後面にある２つの大側壁ならびに２つの小側壁によって画定される側面と、それぞれが大側壁と小側壁との間に画定された４つの長手方向縁部と、それぞれが端壁と側壁との間に画定された８つの横断方向縁部とを具備した容器において、少なくとも１つの長手方向縁部および少なくとも１つの横断方向縁部が非直角な縁部であり、これに対し他の長手方向縁部および横断方向縁部が鋭い直角の縁部であることを特徴とする容器が提供される。
【００１０】
本発明のいくつかの実施例を、本発明を限定することのない例として、添付図面を参照しながら説明する。
【発明を実施するための最良の形態】
【００１１】
図１の符号１は、シガレットの硬質小包体によって構成されるタバコ商品用容器全体を示しており、この容器は通常、箔被包材のシートで被包された、規則正しい平行六面体形状のグループのシガレット（簡潔にするために図示しない）を収容する。
【００１２】
小包体１は、開放頂端３を有するカップ形状の底部容器２と、ヒンジ５に沿い容器２に蝶着されて端部３を開放する開放位置（図２）と端部３を閉鎖する閉鎖位置（図１および図３）との間で容器２に対し回動するカップ形状の頂部蓋４とを具備する。
【００１３】
閉鎖位置では、小包体１は蓋４によって、側面６と、互いに対面する頂端壁７および底端壁８とによって画定されるおおむね直方体形状を呈する。これら頂端壁７および底端壁８は、平坦で互いに同一で平行をなすと共に、側面６を画定する。
【００１４】
側面６は、互いに平行で対面する平坦な２つの小さいほうの側壁すなわち小側壁９と、小側壁９に交差しかつ互いに対面する平坦な２つの大きいほうの側壁すなわち大側壁１０，１１とを具備する。さらに詳細には、大側壁１０の一方は小包体１の前壁を画定し、大側壁１１の他方は小包体１の後壁を画定する。
【００１５】
また、小包体１はカラー１２を具備し、このカラー１２は、端部３の外側に部分的に突出すると共に（図１に示すように）蓋４を閉じたときに蓋４の対応する内表面に係合するように、Ｕ字状に折り曲げられてカップ形状容器２の内部に装着（接着）される。
【００１６】
４つの長手方向縁部１３は、小側壁９と大側壁１０，１１との間に画定される。８つの横断方向縁部１４は、端壁７，８と側壁９，１０，１１との間に画定され、大きいほうの横断方向縁部すなわち横断方向大縁部１４ａと、小さいほうの横断方向縁部すなわち横断方向小縁部１４ｂとに分割され、長手方向縁部１３と交差する。前壁１０の２つの横断方向大縁部１４ａおよび後壁１１の２つの長手方向縁部１３は、それぞれ対応する壁７〜１１を一定の曲率半径でもって接続する丸みをつけられた縁部、すなわちそれぞれが四分の一円筒面によって画定された縁部であり、これに対し他の縁部１３，１４は、鋭い直角の縁部である。
【００１７】
図示しない別の実施例では、前壁１０の横断方向大縁部１４ａおよび後壁１１の長手方向縁部１３は、丸みをつけられた縁部ではなく、面取りされた縁部、すなわちそれぞれ対応する壁７〜１１に対し４５°の角度をなす平坦面によって画定されて対応する壁７〜１１を互いに接続する縁部である。
【００１８】
図１０に示すように、図１および図２の小包体１は、平坦でおおむね長方形状の、対応するブランク材１５から形成され、その部分は、可能な限り、小包体１の対応する部分と同一の参照符号に上付き文字を付して示されている。
【００１９】
（長手方向中心軸線１６を有する）ブランク材１５は、２つの長手方向折り目線１７と、複数の横断方向折り目線１８とを具備する。これら横断方向折り目線１８は、２つの長手方向折り目線１７間に、前壁１０の頂部（特に、蓋４の一部を形成する部分）を形成するパネル１０’と、頂端壁７を形成するパネル７’と、後壁１１を形成するパネル１１’と、底端壁８を形成するパネル８’と、前壁１０の底部（特に、容器２の一部を形成する部分）を形成するパネル１０”とを画定する。
【００２０】
各パネル１０’，１０”，１１’は、それぞれ対応するパネル１０’，１０”，１１’の両側に配置されて長手方向折り目線１７によりパネル１０’，１０”，１１’から分離された２つの側方翼部９’および９”を有する。パネル１０’は補強フラップ１９を有し、パネル１１’の各翼部９’および９”は、翼部９’，９”の両端に配置されて長手方向に互いに整列された矩形の長手方向付属片２０を有する。
【００２１】
パネル１０’とパネル７’との間およびパネル８’とパネル１０”との間には、前壁１０の２つの横断方向大縁部１４ａそれぞれに丸みをつけないし湾曲させるために複数の横断方向折り目線１８が設けられ、パネル１１’と対応する翼部９’および９”との間には、後壁１１の２つの長手方向縁部１３それぞれに丸みをつけるために複数の長手方向折り目線１７が設けられる。
【００２２】
各小包体１を形成する際には、側方翼部９’および側方翼部９”が互いに重ね合わされ接着されて小包体１の小側壁９が画定され、各長手方向付属片２０が対応する側方翼部９’または９”に対し直角に折り曲げられ、対応するパネル７’または８’の内表面上に重ね合わされ接着されて小包体１の対応する端壁７または８の内側部分が画定される。
【００２３】
種々の試験により、上記のようなシガレット小包体１が、小包体１と接触する衣服の布地の磨耗をかなり小さくし、同時に取り扱いやすく人間の身体に適するよう成形されたということが確認されている。
【００２４】
さらに、小包体１は、小側壁９と丸みをつけられまたは面取りされた長手方向縁部１３とにおいて硬質度合いが比較的小さく、このため小包体１内のシガレットが過度に圧縮されるのが阻止され、したがって小包体１から最初のシガレットが取り出しやすくなると共に蓋４が開きやすくなる。
【００２５】
最後に、前壁１０の長手方向縁部１３は鋭い直角の縁部であり、２つの直角な縁部を一致させて形成することは比較的容易であるので、蓋４がカップ形状の底部容器２を正確に閉じるようになる。
【００２６】
図１１に示す別の実施例では、蓋４が閉じられたときに、蓋４の底縁部２１と容器２の頂縁部２２とは、互いに接触するのではなく、予め決められた距離だけ互いに離間するように、かつ内部にあるカラー１２の帯２３が露出するように、寸法決めされる。さらに具体的には、カラー１２の露出した帯２３は前壁１０のみに沿って拡がってもよく、または小側壁９の一部に沿って拡がってもよい。
【００２７】
図１２に示す別の実施例では、蓋４の底縁部２１および容器２の頂縁部２２は、直線状で横断方向縁部１４に平行ではなく、特に前壁１０で多少湾曲している。
【００２８】
添付図面に示す小包体１では、前壁１０の２つの横断方向大縁部１４ａおよび後壁１１の２つの長手方向縁部１３は、丸みをつけられまたは面取りされている。しかし、変更可能には、小包体１の後壁１１の２つの横断方向大縁部１４ａおよび前壁１０の２つの長手方向縁部１３に丸みをつけまたは面取りするようにしてもよい。あるいは、小包体１の後壁１１の２つの横断方向大縁部１４ａおよび後壁１１の２つの長手方向縁部１３に丸みをつけまたは面取りするようにしてもよい。あるいは、小包体１の前壁１０の２つの横断方向大縁部１４ａおよび前壁１０の２つの長手方向縁部１３に丸みをつけまたは面取りするようにしてもよい。より一般的にいうと、小包体１は一つまたは複数の面取りされまたは丸みをつけられた長手方向縁部１３と、一つまたは複数の面取りされまたは丸みをつけられた横断方向縁部１４とを具備することができる。
【００２９】
小包体１の図示しない他の実施例では、すべての長手方向縁部１３は鋭い縁部であり、これに対し前壁１０の２つの横断方向大縁部１４ａは丸みをつけられ（または面取りされ）ている。
【００３０】
図１３に示すように、前壁１０、小側壁９、および端壁７，８は平坦な壁であり、これに対し後壁１１は、外向きに突出し、かつ対応する鋭い長手方向縁部１３に沿って２つの小側壁９に接続され、かつ２つの小側壁９と共におおむね鈍角の二面角をそれぞれ形成する。
【００３１】
後壁１１は、平坦でほぼ矩形の中央部２４と、中央部２４と対応する長手方向縁部１３との間で中央部２４の両側に配置された２つの側方帯２５とを具備する。各側方帯２５は、長手方向折り目線２６によって内側に予め折り目をつけられ、それにより、内向きの凹部が形成されるよう湾曲されて中央部２４が対応する小側壁９に接続され、対応する鋭い長手方向縁部１３が形成され、小側壁９と共に鈍角の二面角が形成される。
【００３２】
変更可能には、後壁１１が平坦であってもよく、前壁１０が、外向きに突出し、かつ対応する鋭い長手方向縁部１３に沿って２つの小側壁９に接続され、かつ小側壁９と共におおむね鈍角の二面角をそれぞれ形成するようにしてもよい。
【００３３】
図示しない別の実施例では、前壁１０、後壁１１、および端壁７，８は平坦であり、少なくとも一つの小側壁９が部分的に外向きに突出し、かつ後壁１１と共におおむね鈍角の二面角を形成し、かつ前壁１０と共に直角を形成する。
【００３４】
好ましい実施例では、（長手方向大折り目線とも称される）長手方向折り目線１７は、（二次長手方向折り目線とも称される）長手方向折り目線２６よりも脆弱である。というのは、長手方向折り目線２６が鋭い縁のないわずかに湾曲した側方帯２５として作用するのに対し、長手方向折り目線１７が鋭い長手方向縁部１３を画定するからである。さまざまな度合いの脆弱性を得るために、長手方向折り目線１７および２６は、さまざまな形状および寸法の一方または両方の切込みによってそれぞれ構成される。
【００３５】
このため、小包体１では、少なくとも１つの長手方向縁部１３および少なくとも１つの横断方向縁部１４は、非直角ないし直角以外のの縁部であり、これに対しその他の長手方向縁部１３および横断方向縁部１４は鋭い直角の縁部である。好ましくは、後壁１１の２つの長手方向縁部１３および前壁１０の２つの横断方向大縁部１４ａは非直角の縁部であり、これに対しその他の横断方向縁部１４および長手方向縁部１３は鋭い直角の縁部である。
【００３６】
非直角の長手方向縁部１３は３通りの方法で形成可能である。丸みをつけられた長手方向縁部１３を形成してもよいし、面取りされた長手方向縁部１３を形成してもよい。あるいは、長手方向縁部１３に境接するそれぞれの側壁９，１０または１１は、外向きに突出する少なくとも１つの半面部分を有すると共に、長手方向縁部１３に境接する他の隣接する側壁９，１０または１１に接続されてその隣接する側壁９，１０または１１と共に、おおむね鈍角の二面角をそれぞれ形成する（この場合、長手方向縁部１３は鋭い縁部である）。
【００３７】
非直角の横断方向縁部１４は４通りの方法で形成可能である。丸みをつけられた横断方向縁部１４を形成してもよいし、面取りされた横断方向縁部１４を形成してもよい。あるいは、横断方向縁部１４に境接するそれぞれの側壁９，１０または１１は、外向きに突出する少なくとも１つの半面部分を有すると共に、横断方向縁部１４に境接しつつ隣接する端壁７または８に接続されてその隣接する端壁７または８と共に、おおむね鈍角の二面角をそれぞれ形成する（この場合，横断方向縁部１４は鋭い縁部である）。あるいは、横断方向縁部１４に境接する端壁７または８は、外向きに突出する少なくとも１つの半面部分を有すると共に、横断方向縁部１４に境接しつつ隣接する側壁９，１０または１１に接続されてその隣接する側壁９，１０または１１と共に、おおむね鈍角の二面角をそれぞれ形成する（この場合、横断方向縁部１４は鋭い縁部である）。
【００３８】
上述したシガレットの小包体１に多数の利点によれば、この小包体１の形成方法を、シガレットのカートンの製造に完全に適用してもよい。このカートンは、シガレットの群（図示しない）ではなくシガレット小包体の群を収納する点を除いて上述した小包体１と実質的に同一である。
【図面の簡単な説明】
【００３９】
【図１】本発明によるシガレットの小包体の閉鎖位置における正面斜視図である。
【図２】図１の小包体の開放位置における正面斜視図である。
【図３】図１の小包体の閉鎖位置における背面斜視図である。
【図４】図１の小包体の正面図である。
【図５】図１の小包体の右側面図である。
【図６】図１の小包体の頂面図である。
【図７】図１の小包体の背面図である。
【図８】図１の小包体の左側面図である。
【図９】図１の小包体の底面図である。
【図１０】図１の小包体を製作するために使用されるブランク材の平面図である。
【図１１】本発明によるシガレットの小包体の他の実施例の正面斜視図である。
【図１２】本発明によるシガレットの小包体の他の実施例の正面斜視図である。
【図１３】本発明によるシガレットの小包体の別の実施例の背面斜視図である。
【国際公開パンフレット】
2005503298.tif 000003
2005503298.tif 000004
2005503298.tif 000005
2005503298.tif 000006
2005503298.tif 000007
2005503298.tif 000008
2005503298.tif 000009
2005503298.tif 000010
2005503298.tif 000011
2005503298.tif 000012
2005503298.tif 000013
2005503298.tif 000014
2005503298.tif 000015
2005503298.tif 000016
2005503298.tif 000017
2005503298.tif 000018
2005503298.tif 000019
2005503298.tif 000020
2005503298.tif 000021
2005503298.tif 000022
2005503298.tif 000023
2005503298.tif 000024
2005503298.tif 000025
2005503298.tif 000026
2005503298.tif 000027
2005503298.tif 000028
2005503298.tif 000029
2005503298.tif 000030
2005503298.tif 000031
2005503298.tif 000032
2005503298.tif 000033
2005503298.tif 000034
【国際調査報告】
2005503298.tif 000035
2005503298.tif 000036
2005503298.tif 000037
2005503298.tif 000038